(57)【特許請求の範囲】
【請求項１】
円形のフィルターレンズの光軸を通り円形フィルターレンズの面に直径を与える線分を水平方向に想定し、該円形フィルターレンズの直径を内包する上下均等幅の帯状素通し部分、または円形フィルターレンズの直径を内包する上下任意幅を有した帯状素通し部分をつくり、該円形フィルターレンズの帯状素通し部分以外はスリガラス状やフロストガラス状またはエッチングガラス状に加工した半透明のアウトフォーカス形状部分を形成したことを特徴とするデジタルカメラ用ジオラマフィルター。
【請求項２】
円形のフィルターレンズの光軸を通り円形フィルターレンズの面に直径を与える線分を水平方向に想定し、該円形フィルターレンズの直径を与える線分より上部または下部に任意幅を有した帯状素通し部分をつくり、該円形フィルターレンズの帯状素通し部分以外はスリガラス状やフロストガラス状またはエッチングガラス状に加工した半透明のアウトフォーカス形状部分を形成したことを特徴とするデジタルカメラ用ジオラマフィルター。
【請求項３】
前記円形フィルターレンズ面に設けた水平方向の帯状の素通し部分と半透明のアウトフォーカス形状部分を有する円形フィルターレンズはデジタルカメラの鏡筒前面に装着可能なフィルター枠に嵌着され、該フィルター枠はデジタルカメラの鏡筒前面に嵌着された状態で前記円形フィルターレンズ面に設けた水平方向の帯状の素通し部分を光軸を中心に水平方向や任意角度に回転、或いは９０度や１８０度に回転した状態に装着でき、また該フィルター枠は円形フィルターレンズをデジタルカメラの鏡筒前面に嵌着して回転することができる二重枠機構等を有していることを特徴とする請求項１並びに請求項２に記載のデジタルカメラ用ジオラマフィルター。
【請求項４】
円形のフィルターレンズ面に設けられる幅を有した帯状の素通し部分は円形のフィルターレンズの光軸を通り円形のフィルターレンズの面に直径を与える線分を水平方向に想定し、該水平方向部分に設けられた帯状の波形素通し部分や帯状のＳ字形状素通し部分をつくり、該帯状の波形素通し部分や帯状のＳ字形状素通し部分以外はスリガラス状やフロストガラス状またはエッチングガラス状に加工した半透明のアウトフォーカス形状部分を形成したことを特徴とするデジタルカメラ用ジオラマフィルター。
【発明の詳細な説明】
【技術分野】
【０００１】
本発明は、デジタルカメラ用のジオラマフィルターに関するものである。
【背景技術】
【０００２】
本発明におけるデジタルカメラ用のジオラマフィルターとは、帯状の中心画像を明確に描写し、その周辺環境、背景となる画像に変化を与えることにより画像内の主題を強調するような撮影に使用される新規なデジタルカメラ用フィルターに関するものである。
【０００３】
従来のフイルム式カメラ用のフィルターにおいては、本発明に類似するフィルターとして、サンドスポットフィルターやセンターフォーカスフィルターがあげられる。その内、センターフォーカスフィルターは、非特許文献１に記載されているように、「フィルターの中心部は透明あるいは丸い穴が開いていて、周辺部にソフト効果や色彩効果を演出するものが用意されています。周辺画像にソフト効果をつくりだすフィルターとして、中心部は透明でその周囲をスリガラス状に加工したものと、凹凸（処理）による特殊加工した２枚のフィルターをセットしたセンターイメージ（Ｃｅｎｔｅｒ  Ｉｍａｇｅ）や凸レンズの中心に丸い穴が開けてあり、周辺部をアウトフォーカス（ピントのきていない状態）に表現するセンターフォーカス（Ｃｅｎｔｅｒ  Ｆｏｃｕｓ）があります。」と云うものであり、フィルターの中心部は透明で素通しのために丸窓風に中心画像を明確に描写し、その背景になる周辺の画像はアウトフォーカスで独特のボケとなった画像が得られるものである。
【０００４】
然しながら、センターフォーカスフィルターの活用の方法は、その構成によりポートレートや花の撮影に使って独自の効果を得られるものであり、それ以上の使い方や効果は期待できるものではなかった。
【０００５】
また、従来のフイルム式カメラにおいては、センターフォーカスフィルターのアウトフォーカス部分を透過した光は、フイルム感度や印画紙の感度により微妙に左右されるものであり、フイルムや印画紙といった二重の感光手段を経て表現されるアウトフォーカス部分での独特のボケは、精々、スリガラス状にフィルターレンズを加工した程度の粗い凹凸処理となって表現される程度の画像でしかなかったために、センターフォーカスフィルターを用いた画像は、誰にでも同じような画像を撮ることが容易であることが利点でもあり、また、誰にでも同じような画像を容易に得られてしまうと云う面白味のないフィルターであるという最大の欠点も持ち合わせていた。
【０００６】
而して、本発明は、特に１眼レフデジタルカメラに用いて有効なデジタルカメラ用のジオラマフィルターを提供するものである。本発明のデジタルカメラ用ジオラマフィルターは、フィルター面に帯状の素通し部分とアウトフォーカス部分を構成し、該帯状の素通し部分で中心画像を明確に描写し、前記アウトフォーカス部分で、その周辺環境、背景となる画像に変化を与えることにより画像内の主題を強調する撮影に使用される新規なデジタルカメラ用ジオラマフィルターを提供するものであり、その活用の方法は、従来のフィルターの如くポートレートや、花の撮影に限らず、風景写真やパノラマ風景写真等の撮影にも使用して独自の効果を得られるものである。
【０００７】
また、本発明のデジタルカメラ用のジオラマフィルターは、１眼レフデジタルカメラに用いることにより、帯状の素通し部分で中心画像を帯状に描写し、アウトフォーカス部分でその周辺環境、背景となる画像に変化を与えることにより画像内の主題を強調する撮影に使用されるものであり、最近のデジタルカメラが光学信号である画像を電気信号に変換するために非常に感度の良いＣＣＤイメージセンサやＣＭＯＳイメージセンサを用いていることにより、ジオラマフィルター面に形成されるアウトフォーカス部分の構成が、従来のフィルターの如くスリガラス状にフィルターレンズを加工した程度の粗い凹凸処理のアウトフォーカスのみならず、微細なスリガラス状やフロストガラス状、またはエッチングガラス状等に加工した半透明形状に構成することが可能であり、該半透明のアウトフォーカス形状部分は微細な凹凸加工によりいろいろに表現される、所謂、独特のボケとなった画像を得ることでき、該画像は、感度の良いＣＣＤイメージセンサやＣＭＯＳイメージセンサを介して確実にデジタルデーターとして記録されるものであり、アウトフォーカス部分のボケの表現方法がフィルターレンズの表面加工方法により繊細に変化した画像としてえられるもので、デジタルカメラ用フィルターの使用範囲が格段に拡がる。
【先行技術文献】
【非特許文献】
【０００８】
【非特許文献１】堀江  勉著「ポイント発見  これがフィルターだ」(株)日本写真企画  ２００２年４月１日発行
【発明の概要】
【発明が解決しようとする課題】
【０００９】
本発明が解決しようとする課題は、従来のフイルムカメラ用センターフォーカスフィルターのように、ポートレートや花の撮影に限らず、風景写真やパノラマ風景写真等においても、中心画像を明確に描写し、その周辺環境、背景となる画像に変化を与えることにより画像内の主題を強調するような撮影に使用される新規なデジタルカメラ用ジオラマフィルターを提供するものである。
【００１０】
また本発明は、フィルターレンズの面に微細なアウトフォーカス部分の加工や、手法の異なる加工方法を加えて、独特のボケを表現できるようにしたもので、この表現を幅広く利用する本発明のデジタルカメラ用ジオラマフィルターは、最近のデジタルカメラが光学信号である画像を電気信号に変換するために非常に感度の良いＣＣＤイメージセンサやＣＭＯＳイメージセンサを用いており、この傾向は益々進展していくことを分析、検討したことに起因する。
【課題を解決するための手段】
【００１１】
本発明は、円形のフィルターレンズの光軸を通り円形フィルターレンズの面に直径を与える線分を水平方向に想定し、該円形フィルターレンズの直径を内包する上下均等幅の帯状素通し部分、または円形フィルターレンズの直径を内包する上下任意幅を有した帯状素通し部分をつくり、該円形フィルターレンズの帯状素通し部分以外はスリガラス状やフロストガラス状またはエッチングガラス状に加工した半透明のアウトフォーカス形状部分を形成することにより、該フィルターレンズはポートレートや花の撮影に限らず、風景写真やパノラマ風景写真等においても、中心画像を明確に描写しその周辺環境、背景となる画像に変化を与えることにより画像内の主題を強調するような撮影に使用される新規なデジタルカメラ用ジオラマフィルターを提供するものである。
【００１２】
また、本発明は、円形のフィルターレンズの光軸を通り円形フィルターレンズの面に直径を与える線分を水平方向に想定し、該円形フィルターレンズの直径を与える線分より上部または下部に任意幅を有した帯状素通し部分をつくり、該円形フィルターレンズの帯状素通し部分以外はスリガラス状やフロストガラス状またはエッチングガラス状に加工した半透明のアウトフォーカス形状部分を形成する構成とすることにより、該円形フィルターレンズは、風景写真やパノラマ風景写真等においても、デジタルカメラの画像内で中心画像の上下位置を選択可能であり、該中心画像を明確に描写し、その周辺環境、背景となる画像に変化を与えることにより画像内の主題を強調するような撮影に使用される新規なデジタルカメラ用ジオラマフィルターを提供するものである。
【００１３】
そして、本発明においては、円形フィルターレンズ面に設けた水平方向の帯状の素通し部分と半透明のアウトフォーカス形状部分を有する円形フィルターレンズを構成し、該円形フィルターレンズはデジタルカメラの鏡筒前面に装着可能なフィルター枠に嵌着され、該フィルター枠はデジタルカメラの鏡筒前面において前記円形フィルターレンズ面に設けた水平方向の帯状の素通し部分を光軸を中心に水平方向に装着することや、該フィルターレンズの帯状の素通し部分を任意角度に回転、或いは９０度や１８０度に回転した状態で装着できること、並びに該フィルター枠は円形フィルターレンズをデジタルカメラの鏡筒前面に装着して回転することができる二重枠等の機構を有しており、中心画像をいろいろな位置や高さ或いは傾斜を持った画像として明確に描写し、その周辺環境、背景となる画像に変化を与えることにより画像内の主題を強調するような撮影に使用される新規なデジタルカメラ用ジオラマフィルターを提供するものである。
【００１４】
また、本発明の利用範囲の拡大と、いっそうの新しい画像を得られるフィルターを得るための例として、本発明は、円形フィルターレンズ面に設けられる帯状の素通し部分は、幅を有した波形やＳ字形状となし、該フィルターレンズの帯状素の通し部分以外はスリガラス状やフロストガラス状またはエッチングガラス状に微細加工した半透明のアウトフォーカス形状部分を形成することにより、ポートレートや花の撮影に限らず、風景写真やパノラマ風景写真等においても、波型やＳ字形状の中心画像を明確に描写しその周辺環境、背景となる画像に繊細な変化を与えることにより画像内の主題を強調するような撮影に使用される新規なデジタルカメラ用ジオラマフィルターを提供するものである。
【発明の効果】
【００１５】
斯して、本発明は、特に１眼レフデジタルカメラに用いて有効なデジタルカメラ用のジオラマフィルターを提供するものである。本発明のデジタルカメラ用ジオラマフィルターは、フィルター面に帯状の素通し部分とアウトフォーカス部分を構成し、該帯状の素通し部分で中心画像を明確に描写し、前記アウトフォーカス部分で、その周辺環境、背景となる画像に変化を与えることにより画像内の主題を強調する撮影に使用される新規なデジタルカメラ用ジオラマフィルターを提供するものであり、その活用の方法は、従来のフィルターの如くポートレートや、花の撮影に限らず、風景写真やパノラマ風景写真等の撮影にも使用して独自の効果を得られるものである。
【００１６】
また、本発明のデジタルカメラ用のジオラマフィルターは、１眼レフデジタルカメラに用いることにより、帯状の素通し部分で中心画像を帯状に描写し、アウトフォーカス部分でその周辺環境、背景となる画像に変化を与えることにより画像内の主題を強調する撮影に使用されるものであり、最近のデジタルカメラが光学信号である画像を電気信号に変換するために非常に感度の良いＣＣＤイメージセンサやＣＭＯＳイメージセンサを用いていることにより、ジオラマフィルター面に形成されるアウトフォーカス部分の構成が、従来のフィルターの如くスリガラス状にフィルターレンズを加工した程度の粗い凹凸処理のアウトフォーカスのみならず、微細なスリガラス状やフロストガラス状、またはエッチングガラス状に加工した半透明形状に構成することが可能であり、該半透明のアウトフォーカス形状部分は微細な凹凸加工によりいろいろに表現される、所謂、独特のボケとなった画像を得ることでき、該画像は感度の良いＣＣＤイメージセンサやＣＭＯＳイメージセンサを介して確実にデジタルデーターとして記録されるものでアウトフォーカス部分のボケの表現の範囲が微細で格段に拡がるものである。
【図面の簡単な説明】
【００１７】
【図１】（Ａ）本発明を説明するフィルター枠とフィルターレンズの組み立て断面図である。（Ｂ）本発明を説明するフィルター枠とフィルターレンズ関係を示す要部断面図説明図である。
【図２】本発明の実施例１を説明するフィルター枠正面図である。
【図３】（Ａ）実施例１を説明するフィルターレンズの装着位置説明図である。            （Ｂ）実施例１を説明するフィルターレンズに装着位置説明図である。            （Ｃ）実施例１を説明するフィルターレンズに装着位置説明図である。
【図４】本発明の実施例2を説明するフィルター枠正面図である。
【図５】（Ａ）実施例２を説明するフィルターレンズの装着位置説明図である。            （Ｂ）実施例２を説明するフィルターレンズに装着位置説明図である。            （Ｃ）実施例２を説明するフィルターレンズに装着位置説明図である。
【図６】本発明の実施例３を説明するフィルター枠正面図である。
【図７】（Ａ）実施例３を説明するフィルターレンズの装着位置説明図である。            （Ｂ）実施例３を説明するフィルターレンズに装着位置説明図である。            （Ｃ）実施例３を説明するフィルターレンズに装着位置説明図である。
【図８】本発明の実施例４を説明するフィルター枠正面図である。
【図９】本発明の実施例４の応用例を説明するフィルター枠正面図である。
【発明を実施するための形態】
【００１８】
本発明は、１眼レフデジタルカメラに用いて有効なデジタルカメラ用のジオラマフィルターを提供するものである。本発明のデジタルカメラ用ジオラマフィルターは、フィルター面に帯状の素通し部分とアウトフォーカス部分を構成し、該帯状の素通し部分で中心画像を明確に描写し、前記アウトフォーカス部分で、その周辺環境、背景となる画像に変化を与えることにより画像内の主題を強調する撮影に使用される新規なデジタルカメラ用ジオラマフィルターを提供するものであり、その活用の方法は、従来のフィルターの如くポートレートや、花の撮影に限らず、風景写真やパノラマ風景写真等の撮影にも使用して独自の効果を得られるものである。
【００１９】
また、本発明のデジタルカメラ用のジオラマフィルターは、１眼レフデジタルカメラに用いることにより、帯状の素通し部分で中心画像を帯状に描写し、アウトフォーカス部分でその周辺環境、背景となる画像に変化を与えることにより画像内の主題を強調する撮影に使用されるものであり、最近のデジタルカメラが光学信号である画像を電気信号に変換するために非常に感度の良いＣＣＤイメージセンサやＣＭＯＳイメージセンサを用いていることにより、ジオラマフィルター面に形成されるアウトフォーカス部分の構成が、従来のフィルターの如くスリガラス状にフィルターレンズを加工した程度の粗い凹凸処理のアウトフォーカスのみならず、微細なスリガラス状やフロストガラス状、またはエッチングガラス状等に加工した半透明形状に構成することが可能であり、該半透明のアウトフォーカス形状部分は微細な凹凸加工によりいろいろに表現される、所謂、独特のボケとなった画像を得ることでき、該画像は、感度の良いＣＣＤイメージセンサやＣＭＯＳイメージセンサを介して確実にデジタルデーターとして記録されるものであり、アウトフォーカス部分のボケの表現方法がフィルターレンズの表面加工方法により繊細に変化した画像としてえられるもので、デジタルカメラ用フィルターの使用範囲が格段に拡がる。
【００２０】
斯くして、本発明は、円形のフィルターレンズの光軸を通り円形フィルターレンズの面に直径を与える線分を水平方向に想定し、該円形フィルターレンズの直径を内包する上下均等幅の帯状素通し部分、または円形フィルターレンズの直径を内包する上下任意幅を有した帯状素通し部分をつくり、該円形フィルターレンズの帯状素通し部分以外はスリガラス状やフロストガラス状またはエッチングガラス状に加工した半透明のアウトフォーカス形状部分を形成することにより、該フィルターレンズはポートレートや花の撮影に限らず、風景写真やパノラマ風景写真等においても、中心画像を明確に描写しその周辺環境、背景となる画像に変化を与えることにより画像内の主題を強調するような撮影に使用される新規なデジタルカメラ用ジオラマフィルターを提供可能である。
【００２１】
また、本発明は、円形のフィルターレンズの光軸を通り円形フィルターレンズの面に直径を与える線分を水平方向に想定し、該円形フィルターレンズの直径を与える線分より上部または下部に任意幅を有した帯状素通し部分をつくり、該円形フィルターレンズの帯状素通し部分以外はスリガラス状やフロストガラス状またはエッチングガラス状に加工した半透明のアウトフォーカス形状部分を形成する構成とすることにより、該円形フィルターレンズは、風景写真やパノラマ風景写真等においても、デジタルカメラの画像内で中心画像の上下位置を選択可能であり、該中心画像を明確に描写し、その周辺環境、背景となる画像に変化を与えることにより画像内の主題を強調するような撮影に使用されるデジタルカメラ用ジオラマフィルターを提供するものである。
【００２２】
そして、本発明においては、円形フィルターレンズ面に設けた水平方向の帯状の素通し部分と半透明のアウトフォーカス形状部分を有する円形フィルターレンズを構成し、該円形フィルターレンズはデジタルカメラの鏡筒前面に装着可能なフィルター枠に嵌着され、該フィルター枠はデジタルカメラの鏡筒前面において前記円形フィルターレンズ面に設けた水平方向の帯状の素通し部分を光軸を中心に水平方向に装着することや、該フィルターレンズの帯状の素通し部分を任意角度に回転、或いは９０度や１８０度に回転した状態で装着できること、並びに該フィルター枠は円形フィルターレンズをデジタルカメラの鏡筒前面に装着して回転することができる二重枠等の機構を有しており、中心画像をいろいろな位置や高さ或いは傾斜を持った画像として明確に描写し、その周辺環境、背景となる画像に変化を与えることにより画像内の主題を強調するような撮影に使用されるデジタルカメラ用ジオラマフィルターを提供する。
【００２３】
更に、本発明においては、利用範囲の拡大と、いっそうの新しい画像を得られるフィルターを得るために、本発明は、円形フィルターレンズ面に設けられる帯状の素通し部分は、幅を有した波形やＳ字形状となし、該フィルターレンズの帯状素の通し部分以外はスリガラス状やフロストガラス状またはエッチングガラス状に微細加工した半透明のアウトフォーカス形状部分を形成することにより、ポートレートや花の撮影に限らず、風景写真やパノラマ風景写真等においても、波型やＳ字形状の中心画像を明確に描写しその周辺環境、背景となる画像に繊細な変化を与えることにより画像内の主題を強調するような撮影に使用されるデジタルカメラ用ジオラマフィルターを提供する。
【実施例１】
【００２４】
図１（Ａ）は本発明を説明するためのフィルター枠とフィルターレンズの組み立て説明図、図１（Ｂ）は本発明を説明するためのフィルター枠とフィルターレンズの関係を示す要部断面図である。図１（A）、図１（B）において、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒１１の前面にフィルター外周枠２を螺着するためのピッチの細かな雄ネジ１２が螺設されていて雄ネジ外筒部１３を形成している。尚、１４はフィルター枠１とフィルターレンズ３、並びにカメラレンズ鏡筒１１の光軸を示している。
【００２５】
図１（Ａ）において、フィルター枠１には、本発明の対象となるフィルターレンズ３が挿入され、該フィルターレンズ３をフィルター押さえバネ４が後方から嵌着して、フィルター枠１内にフィルターレンズ３を図１（Ｂ）に示す如く装着してデジタルカメラ用ジオラマフィルターを形成している。
【００２６】
また、図２は本発明の実施例１を説明するデジタルカメラ用ジオラマフィルターのフィルター枠１の正面図を示すものであり、図２において、１はフィルター枠、２はフィルター外周枠、３はフィルターレンズであり、該フィルターレンズ３は帯状の素通し部分１５とアウトフォーカス形状部分１６にて形成されている。
【００２７】
上記、フィルターレンズ３の構成において帯状の素通し部分１５とは、フィルターレンズそのままの透明部分からなり、該透明部分は円形のフィルターレンズ３の光軸（フィルターレンズ３の中心）を通り円形のフィルターレンズ３の面に直径を与える線分を水平方向に想定し、該円形のフィルターレンズ３の直径を内包して上下均等幅の帯状の素通し部分１５であり、また、円形のフィルターレンズ３の帯状の素通し部分１５以外の周辺部にはスリガラス状やフロストガラス状、またはエッチングガラス状に加工された半透明のアウトフォーカス形状部分１６が設けられている。
【００２８】
そして、フィルターレンズ３の半透明のアウトフォーカス形状部分１６には、サンドブラスト加工等による微細なスリガラス状や、サンドブラスト加工の後フッ化水素で化学処理してより滑らかにしたフロスト状、或いはフィルターレンズをフッ酸等の腐食液で任意にエッチングガラス状に加工されるもので、前記加工は従来のフィルター加工に比較して非常に微細でデリケートな半透明感を有しており、デジタルカメラのＣＣＤイメージセンサやＣＭＯＳイメージセンサは、これらの微細でデリケートな半透明のアウトフォーカス形状部分１６を透過してくる光を正確にデジタルデーターとして記憶する。
【００２９】
斯して、図２における、フィルターレンズ３は、デジタルカメラのカメラレンズ鏡筒１１前面に帯状の素通し部分１５が水平状態になるように装着して、ポートレートや花の撮影に限らず、風景写真やパノラマ風景写真等においても、中心画像を明確に描写しその周辺環境、背景となる画像に変化を与えることにより画像内の主題を強調するような撮影に使用されるものであり、フィルターレンズ３の帯状の素通し部分１５が水平になるように装着されていることから、デジタルカメラの画像のおいても画像の水平面が帯状に明確に描写され、その周辺環境は半透明のアウトフォーカス形状部分１６でコントロールされたジオラマ的な画像の撮影が可能である。
【００３０】
斯して、図２は、デジタルカメラのカメラレンズ鏡筒１１前面にフィルターレンズ３に形成された帯状の素通し部分１５が水平状態になるように装着した例を示しており、また、図３は夫々フィルターレンズ３がデジタルカメラのデジタルカメラレンズ鏡筒１１前面にどのように装着して利用できるかを示すものであり、図３においては、図を簡略化して（フィルターレンズのみ図示）その利用例を説明する。
【００３１】
図３（Ａ）はデジタルカメラのカメラレンズ鏡筒１１前面にフィルルターレンズ３にて形成された帯状の素通し部分１５が任意な傾斜、即ち、水平面に対して角度Ｒ１に回転した状態を有して取り付けられており、該取付方法はフィルターレンズ３を装着したフィルター外周枠２を雄ネジ１２で、カメラレンズ鏡筒１１前面に螺着する際にネジピッチの細かい当該雄ネジ機構を利用して取付具合を最後まで締め付けずに緩めた状態で取付角度を得ることや、フィルター外周枠２を二重に構成してカメラレンズ鏡筒１１にフィルター外周枠２を取り付けた後に、フィルターレンズ枠のみを回転して、任意の取付角度を設定することが可能である。
【００３２】
同様に図３（Ｂ）は、帯状の素通し部分１５が角度Ｒ２程に回転した（９０度回転）状態を示しており、また図３（Ｃ）は、図３（Ｂ）の状態を超えて更に角度Ｒ３まで回転した状態でフィルターレンズ３を取付けた状態を示している。そして、帯状の素通し部分１５が任意角度傾いた状態（図３（Ａ）、（Ｃ）や、垂直方向にある場合（図３（Ｂ））等でデジタルカメラの画像に現れる中心画像も斜め方向であったり、垂直方向での画像となり明確に描写されるので、当該部分では素通し部分１５の強調画像となり、その周辺環境、背景となる画像の変化をアウトフォーカス部分１６で与えることができ、水平面だけでなく斜め方向や、垂直方向においても、より画像内の主題を強調するような撮影に使用されるデジタルカメラ用ジオラマフィルターを提供できるものである。
【実施例２】
【００３３】
実施例２において、フィルター枠の構成は、実施例１と同様であり、図１（A）、図１（B）において説明すると、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒１１の前面にフィルター外周枠２を螺着するためのピッチの細かな雄ネジ１２が螺設されていて雄ネジ外筒部１３を形成している。尚、１４はフィルター枠１とフィルターレンズ３、並びにカメラレンズ鏡筒１１の光軸を示している。
【００３４】
図１（Ａ）において、フィルター枠１には、本発明の対象となるフィルターレンズ３が挿入され、該フィルターレンズ３をフィルター押さえバネ４が後方から嵌着して、フィルター枠１内にフィルターレンズ３を図１（Ｂ）に示す如く装着してデジタルカメラ用ジオラマフィルターを形成している。
【００３５】
而して、図４は、本発明の実施例２を説明するデジタルカメラ用ジオラマフィルターのフィルター枠１の正面図を示すものであり、図４において、１はフィルター枠、２はフィルター外周枠、３はフィルターレンズであり、該フィルターレンズ３は帯状の素通し部分１５とアウトフォーカス形状部分１６にて形成されている。
【００３６】
上記、フィルターレンズ３の構成において帯状の素通し部分１５とは、フィルターレンズそのままの透明部分からなり、該透明部分は円形のフィルターレンズ３の光軸（フィルターレンズ３の中心）を通り円形のフィルターレンズ３の面に直径を与える線分を水平方向に想定し、該円形のフィルターレンズ３の直径を内包して上下に任意幅を有する帯状の素通し部分１５を形成しており、また、円形のフィルターレンズ３の帯状の素通し部分１５以外の周辺部にはスリガラス状やフロストガラス状、またはエッチングガラス状に加工された半透明のアウトフォーカス形状部分１６が設けられている。
【００３７】
そして、フィルターレンズ３の半透明のアウトフォーカス形状部分１５には、サンドブラスト加工等による微細なスリガラス状や、サンドブラスト加工の後フッ化水素で化学処理してより滑らかにしたフロスト状、或いはフィルターレンズをフッ酸等の腐食液で任意にエッチングガラス状に加工されるもので、前記加工は従来のフィルター加工に比較して非常に微細でデリケートな半透明感を有しており、デジタルカメラのＣＣＤイメージセンサやＣＭＯＳイメージセンサは、これらの微細でデリケートな半透明のアウトフォーカス形状部分１５を透過してくる光を正確にデジタルデーターとして記憶する。
【００３８】
図４における、フィルターレンズ３は、デジタルカメラのカメラレンズ鏡筒１１前面に帯状の素通し部分１５が水平状態になるように装着して、ポートレートや花の撮影に限らず、風景写真やパノラマ風景写真等においても、中心画像を明確に描写しその周辺環境、背景となる画像に変化を与えることにより画像内の主題を強調するような撮影に使用されるものであり、フィルターレンズ３の帯状の素通し部分１５が水平になるように装着されていることから、デジタルカメラの画像のおいても画像の水平面が帯状に明確に描写され、その周辺環境は半透明のアウトフォーカス形状部分１６でコントロールされたジオラマ的な画像の撮影が可能である。
【００３９】
斯して、図４は、デジタルカメラのカメラレンズ鏡筒１１前面にフィルターレンズ３に形成された帯状の素通し部分１５が水平状態になるように装着した例を示しており、また、図５は夫々フィルターレンズ３がデジタルカメラのデジタルカメラレンズ鏡筒１１前面にどのように装着して利用できるかを示すものであり、図５においては、図を簡略化して（フィルターレンズのみ図示）その利用例を説明する。
【００４０】
図５（Ａ）はデジタルカメラのカメラレンズ鏡筒１１前面にフィルルターレンズ３にて形成された帯状の素通し部分１５が任意な傾斜、即ち、水平面に対して角度Ｒ１に回転した状態を有して取り付けられており、該取付方法はフィルターレンズ３を装着したフィルター外周枠２を雄ネジ１２で、カメラレンズ鏡筒１１前面に螺着する際にネジピッチの細かい当該雄ネジ機構を利用して取付具合を最後まで締め付けずに緩めた状態で取付角度を得ることや、フィルター外周枠２を二重に構成してカメラレンズ鏡筒１１にフィルター外周枠２を取り付けた後に、フィルターレンズ枠のみを回転して、任意の取付角度を設定することが可能である。
【００４１】
同様に図５（Ｂ）は、帯状の素通し部分１５が角度Ｒ２程に回転した（９０度回転）状態を示しており、また図５（Ｃ）は、図５（Ｂ）の状態を超えて更に角度Ｒ４まで回転した（１８０度回転）状態でフィルターレンズ３を取付けた状態を示してあり、図５（Ｃ）においては、図４に示す帯状の素通し部分１５が反転して、該帯状の素通し部分１５が下に下がった状態を創り出していて、この状態は画像にもそのまま表示される。
【００４２】
そして、前記帯状の素通し部分１５が任意角度傾いた状態（図５（Ａ））や、垂直方向にある場合（図５（Ｂ））等では左右方向に寄った状態をつくりことが可能であり、また、図４と、図５（Ｃ）では、帯状の素通し部分１５が上方や下方の画像となり明確に描写されるとともに、その周辺環境、背景となる画像の変化もアウトフォーカス部分１６で与えることができ、上下に変化できる水平面だけでなく、斜め方向や、垂直方向においても、より画像内の主題を強調するような撮影に幅広く使用されるデジタルカメラ用ジオラマフィルターを提供できるものである。
【実施例３】
【００４３】
また、実施例３において、フィルター枠の構成は、実施例１と同様であり、図１（A）、図１（B）において説明すると、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒１１の前面にフィルター外周枠２を螺着するためのピッチの細かな雄ネジ１２が螺設されていて雄ネジ外筒部１３を形成している。尚、１４はフィルター枠１とフィルターレンズ３、並びにカメラレンズ鏡筒１１の光軸を示している。
【００４４】
図１（Ａ）において、フィルター枠１には、本発明の対象となるフィルターレンズ３が挿入され、該フィルターレンズ３をフィルター押さえバネ４が後方から嵌着して、フィルター枠１内にフィルターレンズ３を図１（Ｂ）に示す如く装着してデジタルカメラ用ジオラマフィルターを形成している。
【００４５】
而して、図６は、本発明の実施例２を説明するデジタルカメラ用ジオラマフィルターのフィルター枠１の正面図を示すものであり、図６において、１はフィルター枠、２はフィルター外周枠、３はフィルターレンズであり、該フィルターレンズ３は帯状の素通し部分１５とアウトフォーカス形状部分１６にて形成されている。
【００４６】
上記、フィルターレンズ３の構成において帯状の素通し部分１５とは、フィルターレンズそのままの透明部分からなり、該透明部分は円形のフィルターレンズ３の光軸（フィルターレンズ３の中心）を通り円形のフィルターレンズ３の面に直径を与える線分を水平方向に想定し、該円形のフィルターレンズ３の直径を与える線分より上部または下部に任意幅を有した帯状の素通し部分１５をつくり（図６の例は直径の上部に帯状の素通し部分１５を設けた）、また、円形のフィルターレンズ３の帯状の素通し部分１５以外の周辺部にはスリガラス状やフロストガラス状、またはエッチングガラス状に加工された半透明のアウトフォーカス形状部分１６が設けられている。
【００４７】
そして、フィルターレンズ３の半透明のアウトフォーカス形状部分１５には、サンドブラスト加工等による微細なスリガラス状や、サンドブラスト加工の後フッ化水素で化学処理してより滑らかにしたフロスト状、或いはフィルターレンズをフッ酸等の腐食液で任意にエッチングガラス状に加工されるもので、前記加工は従来のフィルター加工に比較して非常に微細でデリケートな半透明感を有しており、デジタルカメラのＣＣＤイメージセンサやＣＭＯＳイメージセンサは、これらの微細でデリケートな半透明のアウトフォーカス形状部分１５を透過してくる光を正確にデジタルデーターとして記憶する。
【００４８】
図６における、フィルターレンズ３は、デジタルカメラのカメラレンズ鏡筒１１前面に帯状の素通し部分１５が水平状態になるように装着して、ポートレートや花の撮影に限らず、風景写真やパノラマ風景写真等においても、中心画像を明確に描写しその周辺環境、背景となる画像に変化を与えることにより画像内の主題を強調するような撮影に使用されるものであり、フィルターレンズ３の帯状の素通し部分１５が水平になるように装着されていることから、デジタルカメラの画像のおいても画像の水平面が帯状に明確に描写され、その周辺環境は半透明のアウトフォーカス形状部分１６でコントロールされたジオラマ的な画像の撮影が可能である。
【００４９】
斯して、図６は、デジタルカメラのカメラレンズ鏡筒１１前面にフィルターレンズ３に形成された帯状の素通し部分１５が直径の上部に水平状態になるように装着した例を示しており、また、図７は夫々フィルターレンズ３がデジタルカメラのデジタルカメラレンズ鏡筒１１前面にどのように装着して利用できるかを示すものであり、図７（Ａ）、（Ｂ）、（Ｃ）においては、図を簡略化して（フィルターレンズのみ図示）その利用例を説明する。
【００５０】
図７（Ａ）はデジタルカメラのカメラレンズ鏡筒１１前面にフィルルターレンズ３にて形成された帯状の素通し部分１５が任意な傾斜、即ち、水平面に対して角度Ｒ１に回転した状態を有して取り付けられており、該取付方法はフィルターレンズ３を装着したフィルター外周枠２を雄ネジ１２で、カメラレンズ鏡筒１１前面に螺着する際にネジピッチの細かい当該雄ネジ機構を利用して取付具合を最後まで締め付けずに緩めた状態で取付角度を得ることや、フィルター外周枠２を二重に構成してカメラレンズ鏡筒１１にフィルター外周枠２を取り付けた後に、フィルターレンズ枠のみを回転して、任意の取付角度を設定することが可能である。
【００５１】
同様に図７（Ｂ）は、帯状の素通し部分１５が角度Ｒ２程に回転した（９０度回転）状態を示しており、また図７（Ｃ）は、図７（Ｂ）の状態を超えて更に角度Ｒ４まで回転した（１８０度回転）状態でフィルターレンズ３を取付けた状態を示してあり、図７（Ｃ）においては、図６に示す帯状の素通し部分１５が反転して、該帯状の素通し部分１５が直径の下に下がった状態を創り出していて、この状態は画像にもそのまま表示される。
【００５２】
そして、前記帯状の素通し部分１５が任意角度傾いた状態（図７（Ａ））や、垂直方向にある場合（図７（Ｂ））等では左右方向に寄った状態をつくりことが可能であり、また、図６と、図７（Ｃ）では、帯状の素通し部分１５が直径の上方や下方の画像となって明確に描写されるとともに、その周辺環境、背景となる画像の変化もアウトフォーカス部分１６で与えることができ、上下に変化できる水平面だけでなく、斜め方向や、垂直方向においても、より画像内の主題を強調するような撮影に幅広く使用されるデジタルカメラ用ジオラマフィルターを提供できるものである。
【実施例４】
【００５３】
斯くして、図８及び図９は本発明の実施例４及び実施例４の応用例を説明するフィルター枠正面図であり、図８において、１はフィルター枠、２はフィルター外周枠、３はフィルターレンズであり、該フィルターレンズ３は帯状の波形素通し部分１７とアウトフォーカス形状部分１６にて形成されている。
【００５４】
また、図９において、１はフィルター枠、２はフィルター外周枠、３はフィルターレンズであり、該フィルターレンズ３は帯状のＳ字形状素通し部分１８とアウトフォーカス形状部分１６にて形成されている。
【００５５】
上記、フィルターレンズ３の構成において帯状の波形素通し部分１７と帯状のＳ字形状通し部１８とは、フィルターレンズそのままの透明部分からなり、該透明部分は円形のフィルターレンズ３の光軸（フィルターレンズ３の中心）を通り円形のフィルターレンズ３の面に直径を与える線分を水平方向に想定し、該水平方向部分に表示され、また、円形のフィルターレンズ３の帯状の素通し部分１７及び帯状のＳ字形状素通し部分１８以外の周辺部にはスリガラス状やフロストガラス状、またはエッチングガラス状に加工された半透明のアウトフォーカス形状部分１６が設けられている。
【００５６】
そして、フィルターレンズ３の半透明のアウトフォーカス形状部分１６には、サンドブラスト加工等による微細なスリガラス状や、サンドブラスト加工の後フッ化水素で化学処理してより滑らかにしたフロスト状、或いはフィルターレンズをフッ酸等の腐食液で任意にエッチングガラス状に加工されるもので、前記加工は従来のフィルター加工に比較して非常に微細でデリケートな半透明感を有しており、デジタルカメラのＣＣＤイメージセンサやＣＭＯＳイメージセンサは、これらの微細でデリケートな半透明のアウトフォーカス形状部分１６を透過してくる光を正確にデジタルデーターとして記憶する。
【００５７】
従って、図８及び図９に示す実施例４は、帯状の波形素通し部分１７とＳ字形状素通し部分１８の構成により、ポートレートや花の撮影に限らず、風景写真やパノラマ風景写真等においても、波型やＳ字形状の中心画像を明確に描写しその周辺環境、背景となる画像に繊細な変化を与えることにより画像内の主題を強調するようないろいろな撮影に使用されるもので、全く新しいデジタルカメラ用ジオラマフィルターを提供可能とした。
【００５８】
斯くして、本発明のデジタルカメラ用ジオラマフィルターは、フィルター面に帯状の素通し部分とアウトフォーカス部分を構成し、該帯状の素通し部分で中心画像を明確に描写し、前記アウトフォーカス部分で、その周辺環境、背景となる画像に変化を与えることにより画像内の主題を強調する撮影に使用される新規なデジタルカメラ用ジオラマフィルターを提供するものであり、その活用の方法は、従来のフィルターの如くポートレートや、花の撮影に限らず、風景写真やパノラマ風景写真等の撮影にも使用して独自の効果を得られるものである。
【００５９】
また、本発明のデジタルカメラ用のジオラマフィルターは、１眼レフデジタルカメラに用いることにより、帯状の素通し部分で中心画像を帯状に描写し、アウトフォーカス部分でその周辺環境、背景となる画像に変化を与えることにより画像内の主題を強調する撮影に使用されるものであり、最近のデジタルカメラが光学信号である画像を電気信号に変換するために非常に感度の良いＣＣＤイメージセンサやＣＭＯＳイメージセンサを用いていることにより、ジオラマフィルター面に形成されるアウトフォーカス部分の構成が、従来のフィルターの如くスリガラス状にフィルターレンズを加工した程度の粗い凹凸処理のアウトフォーカスのみならず、微細なスリガラス状やフロストガラス状、またはエッチングガラス状に加工した半透明形状に構成することが可能であり、該半透明のアウトフォーカス形状部分は微細な凹凸加工によりいろいろに表現される、所謂、独特のボケとなった画像を得ることでき、該画像は感度の良いＣＣＤイメージセンサやＣＭＯＳイメージセンサを介して確実にデジタルデーターとして記録されるものでアウトフォーカス部分のボケの表現の範囲が格段に微細で応用範囲の拡がるものとなった。
【符号の説明】
【００６０】
１  フィルター枠
２  フィルター外周枠
３  フィルターレンズ
４  フィルターレンズ押さえバネ
５  レンズ嵌着部
６  レンズ押さえ縁部
７  入射光側
８  内側内径部
９  雌ネジ
１０  カメラレンズ側
１１  カメラレンズ鏡筒
１２  雄ネジ
１３  雌ネジ外筒部
１４  光軸
１５  素通し部分
１６  アウトフォーカス形状部分
１７  波形素通し部分
１８  Ｓ字形状素通し部分
【図１】
0005371128.tif 000002
【図２】
0005371128.tif 000003
【図３】
0005371128.tif 000004
【図４】
0005371128.tif 000005
【図５】
0005371128.tif 000006
【図６】
0005371128.tif 000007
【図７】
0005371128.tif 000008
【図８】
0005371128.tif 000009
【図９】
0005371128.tif 000010